(57)【特許請求の範囲】
【請求項１】
基布からなる本体部と、縫製糸で前記本体部を袋状に縫製することにより形成された縫製部と、を含む車両用のエアバッグであって、
縫製部における縫製ピッチをａ（単位：目／ｃｍ）とした場合、３１．３／ａ（単位：Ｎ／本）の張力を縫製糸に付与した時の縫製糸の伸度と、６２．５／ａ（単位：Ｎ／目）の張力を基布に付与した時の基布の伸度、との差が、経糸方向及び緯糸方向ともに、０〜５．０％の範囲にあり、
エアバッグ展開初期時の４０ｋＰａでの縫製部の通気量が、５０ｍｍ／ｃｍ／ｓｅｃ未満であることを特徴とするエアバッグ。
【請求項２】
下記式で定義される、基布のカバーファクター（ＣＦ）が２０５０〜２４００である請求項１に記載のエアバッグ。
ＣＦ＝（Ａ×０．９）1/2×（Ｗ１）＋（Ｂ×０．９）1/2×（Ｗ２）
式中、ＡおよびＢは経糸および緯糸の太さ（ｄｔｅｘ）を示し、Ｗ１およびＷ２は経密度および緯密度（本／インチ）を示す。
【請求項３】
前記基布は、総繊度が２００〜４００ｄｔｅｘのマルチフィラメントで構成され、かつ前記縫製糸の繊度が６３０〜２４００ｄｔｅｘである請求項１または２に記載のエアバッグ。
【請求項４】
前記マルチフィラメントを構成するモノフィラメントが丸断面である請求項３に記載のエアバッグ。
【請求項５】
前記基布及び縫製糸が、ポリアミドまたはポリエチレンテレフタレートから構成されてなる請求項１乃至４のいずれか１項に記載のエアバッグ。
【請求項６】
前記基布の目付が、１４０〜１８０ｇ／ｍ2である請求項１乃至５のいずれか１項に記載のエアバッグ。
【請求項７】
前記縫製ピッチが２．０〜６．７目／ｃｍの範囲にある請求項１乃至６のいずれか１項に記載のエアバッグ。
【発明の詳細な説明】
【技術分野】
【０００１】
本発明は、車両衝突時に乗員の安全を確保するためのエアバッグに関し、より詳しくは、近年のコンパクト化されたインフレーターによる高出力、かつ高温のガスに耐え得る機械的特性を有しながら、縫製部からのガス漏れ量が低減し、軽量で収納性の良いエアバッグに関するものである。
【背景技術】
【０００２】
近年、エアバッグは、車両衝突時における乗員保護のための安全装備として広く普及してきている。エアバッグ用の基布としては、織物にシリコーンゴム等を表面コートしたものが使用されてきた。ところが、この様な表面コート織物を用いたエアバッグは、コーティング処理により少なからぬコストアップを招き、しかも重く、厚くなるという欠点があるため、最近では表面コートを行わないノンコート織物を用いたエアバッグ、いわゆるノンコートエアバッグの検討が進められ、その一部は実用化され始めている。
【０００３】
また、近年、エアバッグ自体の軽量化・コンパクト化が要求されている。そのため、インフレーターもコンパクト化が要求される。しかしながら、インフレーターのコンパクト化は、発生するガスの高出力化・高温化をもたらし、エアバッグ自体が受ける展開時のガスによる圧力が高くなる傾向にある。ところが、展開時の圧力が高くなると、エアバッグの基布、特に縫製部からのガス漏れが大きくなり、エアバッグとしての性能を満たせないという問題がある。この問題を解決するために、様々なエアバッグが提案されている（例えば、特許文献１〜４）。
【０００４】
特許文献１の技術は、縫製部における針穴からのガス漏れに着目して、基布の繊度、密度、合成樹脂のコート量等を調整することにより、展開時および乗員を受け止める時に想定される圧力における縫製部の通気度を調整するものである。しかし当該特許文献１には、縫製部の通気度は、基布からなる本体部の通気度に影響されることが示されているのみであり、縫製部自体の通気度を調整する方法については開示されていない。
【０００５】
特許文献２には、縫製部の目開きによるガス漏れやバーストなどに着目して、縫製部に補助織物が一体に縫製されたエアバッグが記載されている。当該エアバッグにより、縫製部における通気度が低減され、低繊度の基布においても展開時のバーストを抑制することが可能となる。しかし、補助織物を一体縫製することによる作業の煩雑さやエアバッグの質量増加、コストアップなどのデメリットから、当該エアバッグは実用化が困難なものであった。
【０００６】
特許文献３には、カバーファクター、引張強力、滑脱抵抗力の３つの指標が特定の範囲に規定されたエアバッグ基布が記載されている。しかし、当該エアバッグ基布は、比較的高い繊度の糸（４００ｄｔｅｘ以上）を使用し、カバーファクターをできるだけ高めることにより、滑脱抵抗力の向上や目ズレの低減を達成するものであるが、高繊度糸を高密度に製織しているため、軽量でコンパクト性の良いものではなかった。
【０００７】
また、特許文献４には、非常に低繊度の基布（１１０〜１８５ｄｔｅｘ）を、低繊度の縫製糸により緻密なピッチで縫製されたエアバッグが開示されている。このエアバッグは、目ズレ量を低減しながら、軽量且つコンパクトなものであるが、低繊度の基布を使用したため、コンパクト化されたインフレーターから発生する、高出力で高温のガスに耐え得るものではなかった。
【０００８】
なお、特許文献５および特許文献６には、それぞれ長方形断面または扁平断面の単糸を有する繊維を用いたノンコートエアバッグ用基布が記載されている。これらの基布は、単糸断面の扁平度およびその表面凹凸率、並びに紡糸油剤量などを規定し、繊維同士間の摩擦係数を向上させることにより、糸の表面の滑りやすさを制御し、縫製部の目ズレの改善を達成するものである。しかし、これらの特許文献にはエアバッグ展開時の「基布」と「縫製糸」の伸度の関係を特定することによる縫製部の目ズレの改善に関しては全く検討されていない。
【先行技術文献】
【特許文献】
【０００９】
【特許文献１】特開２００１−７１８５０号公報
【特許文献２】特開２００５−１４８４１号公報
【特許文献３】特開２００６−１６７０７号公報
【特許文献４】特開２００１−３０１５５７号公報
【特許文献５】特開２００２−２９３２０９号公報
【特許文献６】特開２００３−５５８６１号公報
【発明の概要】
【発明が解決しようとする課題】
【００１０】
本発明は、かかる従来技術の問題を背景になされたものであり、その目的は、近年のコンパクト化されたインフレーターから発生する、高出力で高温のガスによってエアバッグ縫製部から漏れ出すガス量を低減すると共に、高温のガスに耐え得る機械的特性を有しながら、軽量で収納性の良いエアバッグを提供することにある。
【課題を解決するための手段】
【００１１】
本発明者らは、前記課題を鋭意検討した結果、エアバッグ展開時の「基布」と「縫製糸」の動きに着目し、縫製部における縫製ピッチをａ（単位：目／ｃｍ）とした場合、３１．３／ａ（単位：Ｎ／本）の張力を縫製糸に付与した時の縫製糸の伸度Ａ（％）と、６２．５／ａ（単位：Ｎ／目）の張力を基布に付与した時の基布の伸度Ｂ（％）、との差を特定の範囲に制御することにより、縫製部のガスもれの原因となる、基布と縫製糸の間に生じる目ズレを抑制でき、エアバッグの展開性能が大きく改善できることを見出して、本発明を完成するに至った。
【００１２】
すなわち、本発明のエアバッグは、基布からなる本体部と、縫製糸で前記本体部を袋状に縫製することにより形成された縫製部と、を含む車両用のエアバッグであって、縫製部における縫製ピッチをａ（単位：目／ｃｍ）とした場合、３１．３／ａ（単位：Ｎ／本）の張力を縫製糸に付与した時の縫製糸の伸度Ａ（単位：％）と、６２．５／ａ（単位：Ｎ／目）の張力を基布に付与した時の基布の伸度Ｂ（単位：％）、との差（Ａ−Ｂ）が、経糸方向及び緯糸方向ともに０〜５．０％の範囲にあり、エアバッグ展開初期時の４０ｋＰａでの縫製部の通気量が、５０ｍｍ／ｃｍ／ｓｅｃ未満であることを特徴とする。
【００１３】
前記の特定の張力下での縫製糸と基布の伸度差（Ａ−Ｂ）を、経糸方向及び緯糸方向ともに０〜５．０％の範囲に制御することで、エアバッグ展開時の内圧において、基布の動きに対して縫製糸が追随できる。そのため、針穴の目ズレが生じにくい。また、この構成とすることで、エアバッグ展開初期時に相当する４０ｋＰａでの縫製部の通気量を５０ｍｍ／ｃｍ／ｓｅｃ未満とすることができる。
【００１４】
本発明のエアバッグの基布は、カバーファクター（ＣＦ）が２０５０〜２４００であることが好ましい。また、前記基布は、総繊度が２００〜４００ｄｔｅｘのマルチフィラメントで構成され、かつ前記縫製糸の繊度が６３０〜２４００ｄｔｅｘであることが好ましい。さらに、前記マルチフィラメントを構成するモノフィラメントは丸断面であることが好ましい。なお、前記基布及び縫製糸が、ポリアミドまたはポリエチレンテレフタレートから構成されてなることが好ましい。前記基布の目付が１４０〜１８０ｇ／ｍ2であることが好ましい。前記縫製ピッチが２．０〜６．７目／ｃｍの範囲にあることが好ましい。
【００１５】
前記のように、基布のカバーファクターなどを所定の範囲とすることで、エアバッグの収納性を確保すると共に、コンパクト化されたインフレーターから発生する、高出力で高温のガスに耐え得る機械的特性も保持することができる。
【発明の効果】
【００１６】
本発明によれば、コンパクト化されたインフレーターから、高出力で高温のガスが発生する場合であっても、エアバッグ縫製部から漏れ出すガス量を低減することができる。さらに、高温のガスに耐え得る機械的特性を有しながら、軽量で収納性の良いエアバッグを提供することができる。
【図面の簡単な説明】
【００１７】
【図１】エアバッグの縫製部におけるガス漏れの位置を示す概略説明図である。
【図２】実施例１の縫製糸の伸度と強力の関係を示すグラフである。
【図３】実施例１の基布（タテ方向）の伸度と滑脱抵抗値の関係を示すグラフである。
【発明を実施するための形態】
【００１８】
本発明のエアバッグは、基布からなる本体部と、縫製糸で前記本体部を袋状に縫製することにより形成された縫製部と、を含む車両用のエアバッグであって、縫製部における縫製ピッチをａ（目／ｃｍ）とした場合、３１．３／ａ（Ｎ／本）の張力を縫製糸に付与した時の縫製糸の伸度Ａ（％）と、６２．５／ａ（Ｎ／目）の張力を基布に付与した時の基布の伸度Ｂ（％）、との差（Ａ−Ｂ）が、経糸方向及び緯糸方向ともに０〜５．０％の範囲にあり、エアバッグ展開初期時の４０ｋＰａでの縫製部の通気量が５０ｍｍ／ｃｍ／ｓｅｃ未満であることを特徴とする。
まず、本発明のエアバッグ用基布について具体的に説明する。
【００１９】
本発明のエアバッグ用基布は、コートされたものでも良く、ノンコートのものでも構わないが、コーティング処理によるエアバッグのコストアップ、収納性悪化などの欠点を克服するために、合成樹脂などによる表面コートが行われないものが好ましい。
【００２０】
本発明のエアバッグ用基布に使用し得る素材としては、ナイロン６・６、ナイロン６、ナイロン１２、ナイロン４・６、ナイロン６とナイロン６・６の共重合体、ナイロン６にポリアルキレングリコールや、ジカルボン酸、アミンなどを共重合した共重合体、などのポリアミド繊維；ポリエチレンテレフタレートやポリブチレンテレフタレートなどのホモポリエステル繊維、ポリエステルの繰り返し単位を構成する酸成分にイソフタル酸、５−ナトリウムスルホイソフタル酸またはアジピン酸などの脂肪族ジカルボン酸などを共重合した共重合体、などのポリエステル繊維；パラフェニレンテレフタルアミドと芳香族エーテルとの共重合体に代表されるアラミド繊維；レーヨン繊維；ポリサルフォン系繊維；超高分子量ポリエチレン繊維；および上記合成繊維を主体とする海島構造を有する高分子配列体繊維から構成されるものが用いられる。これらの中でもポリアミド繊維、ポリエチレンテレフタレート繊維が好ましく、ナイロン６・６、ナイロン６などのポリアミド繊維が耐衝撃性の面から特に好ましい。
【００２１】
また、かかる繊維には、原糸の製造工程や加工工程での生産性あるいは特性改善のために通常使用されている各種添加剤を含んでもよい。例えば、熱安定剤、酸化防止剤、光安定剤、平滑剤、帯電防止剤、可塑剤、増粘剤、顔料、難燃剤などを含有せしめることができる。
【００２２】
本発明のエアバッグ用基布を構成するマルチフィラメントの総繊度は、基布の引張強力および引裂強力の点から、２００ｄｔｅｘ以上であることが好ましく、２３５ｄｔｅｘ以上であることがより好ましく、２５０ｄｔｅｘ以上であることがさらに好ましい。また、基布の柔軟性、エアバッグの収納性の点から、４００ｄｔｅｘ以下であることが好ましく、３５０ｄｔｅｘ以下であることがより好ましく、３２０ｄｔｅｘ以下であることがさらに好ましい。マルチフィラメントの総繊度を前記範囲とすることで、機械的特性および収納性に優れたエアバッグを得ることができる。
【００２３】
前記マルチフィラメントの引張強度は、機械的特性から大きい方が良く、７．０ｃＮ／ｄｔｅｘ以上であることが好ましく、７．５ｃＮ／ｄｔｅｘ以上であることがより好ましく、８．０ｃＮ／ｄｔｅｘ以上であることがさらに好ましい。また、引張強度の上限については、特に制限を設けないが、ナイロン６・６繊維を使用した場合、１０．０ｃＮ／ｄｔｅｘ以下であることが好適である。
【００２４】
前記マルチフィラメントの破断伸度に関しては、１５％以上であることが好ましい。エアバッグ用基布は、経糸方向、緯糸方向や、斜め方向での伸びが異なる。マルチフィラメントの破断伸度が１５％以上であると、エアバッグ展開時に伸びが少ない部分への応力が集中しにくくなり、エアバッグを展開した際に内圧を所定の範囲に維持することができる。前記マルチフィラメントの破断伸度は、より好ましくは１８％以上、さらに好ましくは２０％以上である。破断伸度は比較的高い方が好ましいが、実用上は、３０％以下、より好ましくは２５％以下である。
【００２５】
前記マルチフィラメントの沸水収縮率は、通気度を低減させる点から、５％以上であることが好ましく、８％以上であることがより好ましい。収縮率が高すぎると収縮加工後の布帛の厚みが厚くなる可能性があり、コンパクト性の点から、１５％以下であることが好ましく、１２％以下であることがより好ましい。沸水収縮率を前記範囲とすることで、後記の収縮処理により、低通気度でコンパクトなエアバッグ用基布を得ることができる。
【００２６】
前記マルチフィラメントは、実質的に無撚糸あるいは甘撚糸であることが好ましく、より好ましくは無撚糸である。マルチフィラメントが、実質的に無撚糸あるいは甘撚糸であると、モノフィラメントの拡がりが阻害されず、基布の通気度を低くすることができる。
【００２７】
前記マルチフィラメントを構成するモノフィラメントの繊度は、特に限定されないが、紡糸操業性を確保すると共に、エアバッグの収納性をも確保する点を考慮すると、６．０ｄｔｅｘ以下であることが好ましく、４．０ｄｔｅｘ以下であることがより好ましく、３．５ｄｔｅｘ以下であることがさらに好ましい。また、１．０ｄｔｅｘ以上であることが好ましく、２．０ｄｔｅｘ以上であることがより好ましく、２．４ｄｔｅｘ以上であることがさらに好ましい。
【００２８】
なお、紡糸技術の容易さと糸の品質の観点からは、前記モノフィラメントの断面は丸断面であることが好ましい。丸断面のモノフィラメントの場合、扁平断面や四角断面等の異型断面のモノフィラメントと比べ、紡糸が容易で、所定の原糸強力が得られやすい。また、丸断面のモノフィラメントの場合、製織時およびエアバッグを折り畳む際に、糸の断面が所定の方向に整然と揃うため、所望する低通気度が得られやすい。さらに、原糸強力を高めるために延伸を行っても、原糸毛羽が発生しにくく、良好な品位の糸が得られる。
【００２９】
本発明のエアバッグ用基布の織密度に関しては、マルチフィラメントの繊度との組み合わせ、すなわちカバーファクター（ＣＦ）で考えればよい。前記基布の織密度は、５５〜７０本／インチの範囲が好適である。エアバッグ用基布として必要な低通気度や滑脱抵抗値を考慮すると、ＣＦは２０５０以上であることが好ましく、より好ましくは２０８０以上、さらに好ましくは２１００以上である。また、基布の強力物性、低通気度、基布質量、収納性の点から、ＣＦは２４００以下であることが好ましく、より好ましくは２３００以下であり、２２５０以下がさらに好ましい。なお、ＣＦは下記の式により計算した。
ＣＦ＝（Ａ×０．９）1/2×（Ｗ１）＋（Ｂ×０．９）1/2×（Ｗ２）
式中、ＡおよびＢは経糸および緯糸の太さ（ｄｔｅｘ）を示し、Ｗ１およびＷ２は経密度および緯密度（本／インチ）を示す。
【００３０】
本発明のエアバッグ用基布の目付は、基布の強力とコンパクト性の点から、１４０ｇ／ｍ2以上であることが好ましく、１４５ｇ／ｍ2以上であることがより好ましく、１５０ｇ／ｍ2以上であることがさらに好ましい。また、エアバッグの質量や収納性の点から、１８０ｇ／ｍ2以下であることが好ましく、１７５ｇ／ｍ2以下であることがより好ましく、１７０ｇ／ｍ2以下であることがさらに好ましい。基布の目付を前記範囲とすることで、エアバッグ用基布として強力でコンパクトなものを得ることができる。
【００３１】
本発明のエアバッグ用基布の引張強度は、機械的特性の点から、５５０Ｎ／ｃｍ以上であることが好ましく、６００Ｎ／ｃｍ以上であることがより好ましい。また、引張強度の上限については、特に制限を設けないが、使用するマルチフィラメントの繊度、強力、及び基布の織密度の関係から８００Ｎ／ｃｍ以下であることが好ましく、７９０Ｎ／ｃｍ以下であることがより好ましい。
【００３２】
また、エアバッグ用基布の破断伸度は、２３％以上であることが好ましい。エアバッグ用基布は、経糸方向、緯糸方向や、斜め方向での伸びが異なる。そのため、エアバッグ用基布の破断伸度が２３％以上であると、エアバッグ展開時に伸びが少ない部分への応力が集中しにくくなり、所定の展開内圧を維持することができる。エアバッグ用基布の破断伸度は、より好ましくは２５％以上、さらに好ましくは２６％以上である。破断伸度は比較的高い方が好ましいが、実用上は４０％以下、より好ましくは３８％以下、さらに好ましくは３５％以下である。
【００３３】
本発明のエアバッグ用基布は、軽量、コンパクト化の点から、ＡＳＴＭ  Ｄ６４７８に規定される収納性試験において、収納性が１８００ｃｍ3以下であることが好ましく、１７００ｃｍ3以下であることがより好ましく、１６５０ｃｍ3以下であることがさらに好ましく、１６００ｃｍ3以下であることが特に好ましい。軽量、コンパクト化の点から、収納性の下限は特に限定されないが、通常用いられる基布としては、１２００ｃｍ3以上が好ましく、１３００ｃｍ3以上がより好ましく、１４００ｃｍ3以上がさらに好ましい。
【００３４】
本発明のエアバッグ用基布の織組織としては、平織、綾織、繻子織、及びこれらの変化組織などが挙げられるが、機械的特性に優れることから平織が好ましい。
【００３５】
なお、本発明のエアバッグ用基布の製造工程において使用する織機については、特に限定されるものではなく、例えばウォータージェットルーム、エアジェットルーム、レピアルーム、プロジェクタイルルーム等が使用可能である。織生産性、原糸への損傷の低減、経糸の糊剤不要等を考慮すると、ウォータージェットルーム、エアジェットルームが特に好適である。また、加工時の原糸油剤、整経油剤の脱落を容易にするためには、製織時に水によってその殆どを除却することができるウォータージェットルームが、精練工程の簡略化ができる点から最も好ましい。
【００３６】
エアバッグ用基布の製造工程における収縮処理の加熱温度は特に限定されるものではなく、通常８０〜２００℃であり、より好ましくは１６０℃以下である。
【００３７】
また、前記収縮処理の装置は、ヒートセッター、沸水バス等が挙げられ、特に限定されるものではないが、低通気度が達成できる点から、縦及び横のオーバーフィードが２〜１５％程度可能な装置を用いることが好ましい。
【００３８】
次に、本発明のエアバッグの縫製部について具体的に説明する。
【００３９】
縫製部の縫製糸に使用し得る素材としては、ナイロン６、ナイロン６・６、ナイロン１２、ナイロン４・６、ナイロン６とナイロン６・６との共重合体、ナイロンにポリアルキレングリコール、ジカルボン酸やアミン類などを共重合した共重合体などからなるポリアミド繊維；ポリエチレンテレフタレートやポリブチレンテレフタレートなどのホモポリエステル繊維、ポリエステルの繰り返し単位を構成する酸成分にイソフタル酸、５−ナトリウムスルホイソフタル酸またはアジピン酸などの脂肪族ジカルボン酸などを共重合した共重合体などからなるポリエステル繊維；パラフェニレンテレフタルアミドと芳香族エーテルとの共重合体などに代表されるアラミド繊維；レーヨン繊維；超高分子量ポリエチレン繊維；パラフェニレンサルフォンやポリサルフォンなどのサルフォン系繊維；ポリエーテルケトン繊維；炭素繊維；ガラス繊維などを使用することができる。これらの中でもポリアミド繊維、ポリエチレンテレフタレート繊維が好ましく、ナイロン６・６、ナイロン６などのポリアミド繊維が耐衝撃性の面から特に好ましい。
【００４０】
また、かかる繊維には、原糸の製造工程や加工工程での生産性あるいは特性改善のために通常使用されている各種添加剤を含んでもよい。例えば、熱安定剤、酸化防止剤、光安定剤、平滑剤、帯電防止剤、可塑剤、増粘剤、顔料、難燃剤などを含有せしめることができる。
【００４１】
前記縫製部に用いられる縫製糸の繊度は、特に限定されないが、必要な縫製部強力を確保する点から、６３０ｄｔｅｘ以上であることが好ましく、７００ｄｔｅｘ以上であることがより好ましく、８４０ｄｔｅｘ以上であることがさらに好ましい。また、縫製糸が太くなると縫製部の厚みが厚くなるため、厚みの点から、２４００ｄｔｅｘ以下であることが好ましく、１８５０ｄｔｅｘ以下であることがより好ましく、１４００ｄｔｅｘ以下であることがさらに好ましい。
【００４２】
前記縫製糸の引張強度は、機械的特性の点から、６．０ｃＮ／ｄｔｅｘ以上であることが好ましく、６．５ｃＮ／ｄｔｅｘ以上であることがより好ましく、７．０ｃＮ／ｄｔｅｘ以上であることがさらに好ましい。縫製糸の引張強度が６．０ｃＮ／ｄｔｅｘ以上であると、エアバッグ展開時に強力不足による縫製糸の断裂を抑制することができる。その結果、縫製部からガス漏れが生じにくくなるため、エアバッグとしての必要な内圧保持性能を維持できる。また、引張強度の上限については、特に制限を設けないが、ナイロン６・６繊維を使用した場合、１０ｃＮ／ｄｔｅｘ以下であることが好ましく、９．５ｃＮ／ｄｔｅｘ以下であることがより好ましく、９．０ｃＮ／ｄｔｅｘ以下であることがさらに好ましい。
【００４３】
前記縫製糸の破断伸度に関しては、１５％以上であることが好ましい。縫製糸の破断伸度が１５％以上であると、エアバッグ展開時の膨張した基布に縫製糸が追従でき、針穴からのガス漏れを抑えられるため、所定の展開内圧を維持できる。縫製糸の破断伸度は、より好ましくは１８％以上、さらに好ましくは２０％以上である。破断伸度は比較的高い方が好ましいが、実用上は３５％以下、より好ましくは３３％以下、さらに好ましくは３０％以下である。
【００４４】
前記縫製糸の製造方法については、特に限定されない。例えば、１４００ｄｔｅｘの縫製糸を製造する場合、１４００ｄｔｅｘの糸を縫製糸として加工したものでも構わないし、４７０ｄｔｅｘの糸を３本撚り合わせて１４００ｄｔｅｘ相当の縫製糸としても構わない。また縫製糸の着色の有無、及び樹脂加工の有無は特に問わない。
【００４５】
なお、縫製部における縫製糸の縫製方法は、特に制限されるものではなく、使用する基布、エアバッグ仕様、要求される取り付け口強度などに応じて選定すればよい。例えば、本縫い、環縫い、二重環縫い、オーバーロック縫い等が挙げられる。中でも、本縫い、二重環縫いが、作業性の良さ、縫製部強度の向上、縫製部からのガス漏れの低減などの点から好適に用いられる。
【００４６】
縫製ピッチも特に制限されるものではなく、縫製部からの通気量及び縫製部の強度のバランスから縫製ピッチを選択すればよい。縫製ピッチは、２．０目／ｃｍ以上であることが好ましく、２．５目／ｃｍ以上であることがより好ましく、３．３目／ｃｍ以上であることがさらに好ましい。縫製ピッチが２．０目／ｃｍ以上であると、基布の合わせ部からのガス漏れ量を低減できる。また、縫製ピッチは、６．７目／ｃｍ以下であることが好ましく、５．６目／ｃｍ以下であることがより好ましく、４．５目／ｃｍ以下であることがさらに好ましい。縫製ピッチが６．７目／ｃｍ以下であると、運針が早く、作業性が良好になる。さらに、針穴の数も少ないため、通気度を良好にすることができる。
【００４７】
以下、本発明のエアバッグについて具体的に説明する。
【００４８】
本発明のエアバッグは、縫製部における縫製ピッチをａ（目／ｃｍ）とした場合、３１．３／ａ（Ｎ／本）の張力を縫製糸に付与した時の縫製糸の伸度Ａ（％）と、６２．５／ａ（Ｎ／目）の張力を基布に付与した時の基布の伸度Ｂ（％）、との差（Ａ−Ｂ）が、経糸方向及び緯糸方向ともに０〜５．０％の範囲にあり、エアバッグ展開初期時の４０ｋＰａでの縫製部の通気量が、５０ｍｍ／ｃｍ／ｓｅｃ未満であることを特徴とする。
【００４９】
エアバッグ展開時の縫製部からのガス漏れの原因については、（ｉ）基布の合わせ部における目開き、および（ｉｉ）縫製部の針穴における目ズレが想定される。図１は、エアバッグの縫製部におけるガス漏れの位置を示す概略説明図であり、基布１、１’の合わせ部３および縫製部の針穴５からガス漏れがよく発生すると想定される。
【００５０】
なお、運転席用のエアバッグを例として、エアバッグ展開時の基布表面にかかる張力ｆは次のように求められる。即ち、エアバッグの容積を６０Ｌとし、エアバッグの形状が球状であると仮定する場合、エアバッグの半径ｒはおよそ２５ｃｍと計算される。エアバッグ展開時の内圧ｐを５０ｋＰａと想定すると、基布表面にかかる張力ｆはｆ＝ｒｐ／２で示され、６２．５Ｎ／ｃｍと計算される。また、縫製部における縫製ピッチをａ（目／ｃｍ）とすれば、エアバッグ展開時に縫製１目において２本の縫製糸が張力を受けるため、縫製糸に付与される張力Ｅは、下記式で計算される。
Ｅ（Ｎ／本）＝６２．５／２ａ（即ち、３１．３／ａ）
【００５１】
本発明者らは、収納性の良い低繊度基布を用いた場合、展開時の基布の伸張により生じた針穴の目ズレが縫製部のガス漏れに大きく寄与することを見出して、展開時の内圧下（即ち、基布表面にかかる張力が６２．５Ｎ／ｃｍである時）において、縫製糸の伸度を基布の伸長に追随するように調整すれば、針穴の目ズレによるガス漏れを抑制できると考えた。
【００５２】
本発明のエアバッグは、前記知見に基づいて完成されたものである。即ち、本発明のエアバッグにおいて、縫製部における縫製ピッチをａ（目／ｃｍ）とした場合、３１．３／ａ（Ｎ／本）の張力を縫製糸に付与した時の縫製糸の伸度Ａ（％）と、６２．５／ａ（Ｎ／目）の張力を基布に付与した時の基布の伸度Ｂ（％）との差（Ａ−Ｂ）が、経糸方向及び緯糸方向ともに０〜５．０％の範囲にあることが必要である。伸度差（Ａ−Ｂ）の値は、好ましくは０〜４．８％、より好ましくは０〜４．５％である。伸度差（Ａ−Ｂ）の値を前記範囲とすることで、エアバッグ展開時の内圧において基布の動きに対して縫製糸が追随して、針穴の目ズレが生じにくくなるため、針穴での縫製糸に起因する目ズレによるガス漏れを抑制することができる。なお、上糸と下糸の伸度が異なる場合、両者の伸度の平均値を伸度Ａとした。
【００５３】
一方、経糸方向または緯糸方向のいずれか一方の伸度差（Ａ−Ｂ）の値が５．０％を超えると、エアバッグ展開時に針穴の目ズレは生じない（即ち、針穴からのガス漏れが増加しない）が、縫製糸の伸度が大きくなりすぎる。そのため、基布の合わせ部において目開きが大きくなり、合わせ部からの漏れ量が増加する。また、経糸方向または緯糸方向のいずれか一方の伸度差（Ａ−Ｂ）の値が０％を下回ると（マイナス側）、エアバッグ展開時の基布の伸度よりも縫製糸の伸度が小さいため、基布の動きに対して縫製糸が追随できなくなる。その結果、針穴の目ズレが大きくなり、針穴からの漏れ量が増加する。
【００５４】
本発明のエアバッグにおいては、ＡＳＴＭ  Ｄ６４７６により測定したエアバッグ展開初期時の４０ｋＰａでの縫製部の通気量が、５０ｍｍ／ｃｍ／ｓｅｃ未満であることが必要である。この通気量は、４８ｍｍ／ｃｍ／ｓｅｃ以下であることがより好ましく、４５ｍｍ／ｃｍ／ｓｅｃ以下であることがさらに好ましい。エアバッグ展開初期時の４０ｋＰａでの縫製部の通気量が５０ｍｍ／ｃｍ／ｓｅｃ未満であれば、エアバッグの展開初期時において、バランス良く展開することができる。
【００５５】
なお、所定の張力Ｅでの伸度Ａの調整に関しては、使用する繊維の繊度の太さを変える、縫製糸を構成する原糸の強度−伸度の関係を変更する（具体的には糸製造時の紡糸条件や延伸条件を変更する）、あるいは縫製糸製造時の撚糸数や熱セット時の条件を変更する等、公知の技術で行うことができる。伸度Ａの好適な範囲に関しては上述したように伸度Ｂとの関係で選択すれば良い。例えば、所定の張力Ｅでの伸度Ａを高くするためには、同一強度を有する縫製糸の場合は、繊度を小さくすることが有効である。その他、縫製糸を構成する糸の製造時において、紡糸時のドラフト比を低くする、延伸応力を低くする（延伸倍率を低くする）方法、あるいは縫製糸製造時の撚糸数を高める等の公知の方法により、糸の特定張力下における伸度を大きくすることができる。
【実施例】
【００５６】
次に、実施例および比較例を挙げて本発明を詳細に説明するが、本発明はこれらに限定されるものではなく、前・後記の趣旨を逸脱しない範囲で変更実施をすることは、全て本発明の技術的範囲に含まれる。なお、実際のエアバッグ展開時のガス温度は明確ではないが、インフレーター出口の温度は１０００℃以上であり、基布に対しては２００℃近い温度となっている可能性もある。しかし、２０℃で測定された縫製部の通気量の大小の傾向は高温下でも変わらないと考えられるので、便宜のため、実施例および比較例においては、常温下で縫製サンプルの通気性を評価した。
【００５７】
本発明の実施例および比較例の各性能評価は次の方法により行った。
【００５８】
＜糸の繊度＞
ＪＩＳ  Ｌ  １０１３  ８．３により測定した。
【００５９】
＜糸の沸水収縮率＞
ＪＩＳ  Ｌ  １０１３  沸水収縮率  Ｂ法（１００度）により測定した。
【００６０】
＜糸の引張強度および破断伸度＞
ＪＩＳ  Ｌ  １０１３  ８．５により測定した。
【００６１】
＜基布の滑脱抵抗値＞
ＡＳＴＭ  Ｄ６４７９により測定した。
【００６２】
＜縫製糸と基布の伸度差＞
縫製糸の伸度と強力の関係をＪＩＳ  Ｌ  １０１３  ８．５により測定した。この測定時に、伸度（％）と強力（Ｎ）の関係を記録させた（例えば、図２のような曲線を作成する）。この伸度（％）と強力（Ｎ）の関係を示す曲線から、エアバッグの縫製糸にかかる３１．３／ａの引張強力に対応する伸度を読み取り、伸度Ａとした（例えば、図２では、縫製ピッチが４．５目／ｃｍ（実施例１）なので、縫製糸にかかる張力は、３１．３／４．５、即ち６．９Ｎ／本と計算される。前記の曲線から引張強力が６．９Ｎに対応する伸度Ａが３．２％であることを読み取る）。ここで、ａは、縫製部における縫製ピッチである。
【００６３】
また、基布の伸度と滑脱抵抗値の関係をＡＳＴＭ  Ｄ６４７９により測定した。この測定時に、伸度（％）と滑脱抵抗値（Ｎ／５ｃｍ）の関係を記録させた。なお、前記滑脱抵抗値の単位をＮ／５ｃｍからＮ／ｃｍに換算して、伸度（％）と滑脱抵抗値（Ｎ／ｃｍ）の関係を示す曲線を作成した（例えば図３のようなグラフ）。得られた伸度（％）と滑脱抵抗値（Ｎ／ｃｍ）の関係を示す曲線から、エアバッグの基布にかかる６２．５／ａの滑脱抵抗値に対応する伸度を読み取り、伸度Ｂとした（例えば、図３では、縫製ピッチが４．５目／ｃｍ（実施例１）なので、基布のタテ方向にかかる張力は、６２．５／４．５、即ち１３．９Ｎ／目と計算される。前記の曲線から滑脱抵抗値が１３．９Ｎ／ｃｍに対応する伸度Ｂが２．３％であることを読み取る）。ここで、ａは、縫製部における縫製ピッチである。
【００６４】
前記縫製糸の伸度Ａと基布の伸度Ｂとの差（Ａ―Ｂ）を、「縫製糸と基布の伸度差」とした。
【００６５】
＜基布の引張強度および破断伸度＞
ＪＩＳ  Ｌ  １０９６  ８．１２．１により測定した。
【００６６】
＜基布の織密度＞
ＪＩＳ  Ｌ  １０９６  ８．６．１により測定した。
【００６７】
＜基布の目付＞
ＪＩＳ  Ｌ  １０９６  ８．４により測定した。
【００６８】
＜収納性＞
ＡＳＴＭ  Ｄ６４７８により測定した。
【００６９】
＜縫製ピッチ＞
縫製糸の中心値から隣の縫製糸の中心値までの長さを任意５箇所について測定し、その平均値を求めた。この平均値から１ｃｍあたりの縫目の個数を換算した。
【００７０】
＜縫製部の通気量＞
実施例、比較例の基布を２０ｃｍ角で切り出し、経糸方向、緯糸方向を合わせた形で、実施例、比較例に記載の縫製糸、縫製方法でサンプルを作製した。このサンプルを用いて、ＡＳＴＭ  Ｄ６４７６に準じて以下の条件で通気量の測定を行った。
ｓｔｒａｔ  ｖｏｌｕｍｅ：４００ｃｍ３
初期圧：２２５ｋＰａ
通気性試験機：ＦＸ３３５０（テクステスト社製）
【００７１】
なお、縫製部の厚みによる影響を除去するため、サンプルを厚さ２ｍｍ、直径８ｃｍの円形状のシリコーンパッキンで挟みこんだ形で、上記条件下で「縫製部を含むサンプル全体の通気量」および「基布からなる本体部のみの通気量」を測定した。測定した圧力と通気速度との関係を、Ｌ５１１０評価プログラムＬＡＢＯＤＡＴＡ  ＩＩ（テクステスト社製）を用いてコンピューターに取り込み、得られた圧力−通気速度の関係から、エアバッグ展開初期時での４０ｋＰａ時の通気量を求めた。
【００７２】
４０ｋＰａ時の「縫製部の通気量」は、４０ｋＰａ時の「縫製部を含むサンプル全体の通気量」から４０ｋＰａ時の「基布からなる本体部のみの通気量」の差を計算した後、縫製部の長さ（８ｃｍ）で割り返した値とした。
【００７３】
実施例１
経糸、緯糸に繊度３１０ｄｔｅｘ／９６ｆ、引張強度８．６ｃＮ／ｄｔｅｘ、破断伸度２０％、沸水収縮率９．０％のナイロン６６フィラメント原糸（モノフィラメント断面は丸断面である）を用い、経緯とも６６本／インチの織密度でウォータージェットルームを用いて平織にて製織した後、乾燥させずに熱水収縮槽を通過させ、引き続き、２段のサクションドラム乾燥機を使い、１段目の温度Ｔ１を１２０℃に、２段目の温度Ｔ２を１２５℃に制御した乾燥仕上工程を通過させた。得られた基布の物性を表１に示した。
【００７４】
また、縫製糸として、上下糸とも繊度９２０ｄｔｅｘ、引張強度８．６ｃＮ／ｄｔｅｘ、破断伸度２２％のナイロン６６糸を用い、本縫いで、縫製ピッチを４．５目／ｃｍとして、前記基布を用いてエアバッグの一部を模擬した縫製サンプルを作製した。作製した縫製サンプルの通気量を測定した結果を表１に示した。
【００７５】
実施例２
経緯の織密度を６３本／インチとした以外は、実施例１と同様にして基布と縫製サンプルを作製した。作製した基布と縫製サンプルについて、実施例１と同様にして評価して、結果を表１に示した。
【００７６】
実施例３
経糸、緯糸に繊度２７０ｄｔｅｘ／８４ｆ、引張強度８．６ｃＮ／ｄｔｅｘ、破断伸度１９％、沸水収縮率９．０％のナイロン６６フィラメント原糸（モノフィラメント断面は丸断面である）を用い、織密度を７０本／インチとした以外は、実施例１と同様にして基布と縫製サンプルを作製した。作製した基布と縫製サンプルについて、実施例１と同様にして評価して、結果を表１に示した。
【００７７】
実施例４
経糸、緯糸に繊度２７０ｄｔｅｘ／８４ｆ、引張強度８．６ｃＮ／ｄｔｅｘ、破断伸度１９％、沸水収縮率９．０％のナイロン６６フィラメント原糸（モノフィラメント断面は丸断面である）を用い、織密度を６７本／インチとした以外は、実施例１と同様にして基布と縫製サンプルを作製した。作製した基布と縫製サンプルについて、実施例１と同様にして評価して、結果を表１に示した。
【００７８】
実施例５
実施例４で作製した基布を用いて縫製サンプルを作製した。但し、縫製部の縫製条件としては、上糸に繊度１４００ｄｔｅｘ、引張強度８．３ｃＮ／ｄｔｅｘ、破断伸度２１％のナイロン６６糸を、下糸に繊度９２０ｄｔｅｘ、引張強度８．６ｃＮ／ｄｔｅｘ、破断伸度２２％のナイロン６６糸を用い、環縫いで、縫製ピッチは４．０目／ｃｍとした。作製した縫製サンプルの通気量を測定した結果を表１に示した。
【００７９】
実施例６
実施例２で作製した基布を用いて縫製サンプルを作製した。但し、縫製部の縫製条件としては、上糸に繊度１４００ｄｔｅｘ、引張強度８．３ｃＮ／ｄｔｅｘ、破断伸度２１％のナイロン６６糸を、下糸に繊度９２０ｄｔｅｘ、引張強度８．６ｃＮ／ｄｔｅｘ、破断伸度２２％のナイロン６６糸を用い、環縫いで、縫製ピッチは４．０目／ｃｍとした。作製した縫製サンプルの通気量を測定した結果を表２に示した。
【００８０】
実施例７
実施例４で作製した基布を用いて縫製サンプルを作製した。但し、縫製部の縫製条件としては、上糸に繊度１４００ｄｔｅｘ、引張強度８．３ｃＮ／ｄｔｅｘ、破断伸度２１％のナイロン６６糸を、下糸に繊度９２０ｄｔｅｘ、引張強度８．６ｃＮ／ｄｔｅｘ、破断伸度２２％のナイロン６６糸を用い、本縫いで、縫製ピッチは４．５目／ｃｍとした。作製した縫製サンプルの通気量を測定した結果を表２に示した。
【００８１】
実施例８
実施例２で作製した基布を用いて縫製サンプルを作製した。但し、縫製部の縫製条件としては、上下糸とも繊度９２０ｄｔｅｘ、引張強度８．６ｃＮ／ｄｔｅｘ、破断伸度２２％のナイロン６６糸を用い、本縫いで、縫製ピッチは３．３目／ｃｍとした。作製した縫製サンプルの通気量を測定した結果を表２に示した。
【００８２】
実施例９
実施例２で作製した基布を用いて縫製サンプルを作製した。但し、縫製部の縫製条件としては、上下糸とも繊度９２０ｄｔｅｘ、引張強度８．６ｃＮ／ｄｔｅｘ、破断伸度２２％のナイロン６６糸を用い、本縫いで、縫製ピッチは２．５目／ｃｍとした。作製した縫製サンプルの通気量を測定した結果を表２に示した。
【００８３】
実施例１０
経糸、緯糸に繊度３５０ｄｔｅｘ／１０８ｆ、引張強度８．７ｃＮ／ｄｔｅｘ、破断伸度２１％、沸水収縮率９．０％のナイロン６６フィラメント原糸（モノフィラメント断面は丸断面である）を用い、経緯とも５９本／インチの織密度でウォータージェットルームを用いて平織にて製織した後、乾燥させずに熱水収縮槽を通過させ、引き続き、２段のサクションドラム乾燥機を使い、１段目の温度Ｔ１を１２５℃に、２段目の温度Ｔ２を１３０℃に制御した乾燥仕上工程を通過させた。得られた基布の物性を表２に示した。
【００８４】
前記基布を用いて、実施例１と同様にして縫製サンプルを作製した。作製した縫製サンプルの通気量を測定した結果を表２に示した。
【００８５】
実施例１１
経糸、緯糸に繊度３５０ｄｔｅｘ／１０８ｆ、引張強度８．７ｃＮ／ｄｔｅｘ、破断伸度２１％、沸水収縮率９．０％のナイロン６６フィラメント原糸（モノフィラメント断面は丸断面である）を用い、経緯とも６０本／インチの織密度でウォータージェットルームを用いて平織にて製織した後、乾燥させずに熱水収縮槽を通過させ、引き続き、２段のサクションドラム乾燥機を使い、１段目の温度Ｔ１を１２５℃に、２段目の温度Ｔ２を１３０℃に制御した乾燥仕上工程を通過させた。得られた基布の物性を表２に示した。
【００８６】
前記基布を用いて、表２に示した条件として縫製サンプルを作製した。作製した縫製サンプルの通気量を測定した結果を表２に示した。
【００８７】
比較例１
実施例１で作製した基布を用いて縫製サンプルを作製した。但し、縫製部の縫製条件としては、上下糸ともに繊度１４００ｄｔｅｘ、引張強度８．３ｃＮ／ｄｔｅｘ、破断伸度２１％のナイロン６６糸を用い、本縫いで、縫製ピッチは４．５目／ｃｍとした。作製した縫製サンプルの通気量を測定した結果を表３に示した。
【００８８】
比較例２
実施例１０で作製した基布を用いて縫製サンプルを作製した。但し、縫製部の縫製条件としては、上下糸ともに繊度１４００ｄｔｅｘ、引張強度８．３ｃＮ／ｄｔｅｘ、破断伸度２１％のナイロン６６糸を用い、本縫いで、縫製ピッチは３．３目／ｃｍとした。作製した縫製サンプルの通気量を測定した結果を表３に示した。
【００８９】
比較例３
経糸、緯糸に繊度４７０ｄｔｅｘ／７２ｆ、引張強度８．５ｃＮ／ｄｔｅｘ、破断伸度２０％、沸水収縮率９．５％のナイロン６６フィラメント原糸（モノフィラメント断面は丸断面である）を用い、織密度を経緯とも５４本／インチとした以外は、実施例１と同様にして基布を作製した。基布の物性を表３に示した。
【００９０】
また、縫製糸としては、上下糸ともに繊度７００ｄｔｅｘ、引張強度７．５ｃＮ／ｄｔｅｘ、破断伸度３０％のナイロン６６糸を用いて、縫製ピッチを５．０目／ｃｍとした以外は、前記基布を用いて実施例１と同様にして縫製サンプルを作製した。作製した縫製サンプルの通気量を測定した結果を表３に示した。
【００９１】
比較例４
比較例３で作製した基布を用いて縫製サンプルを作製した。但し、縫製部の縫製条件としては、上下糸ともに繊度１４００ｄｔｅｘ、引張強度８．３ｃＮ／ｄｔｅｘ、破断伸度２１％のナイロン６６糸を用い、本縫いで、縫製ピッチは１．８目／ｃｍとした。作製した縫製サンプルの通気量を測定した結果を表３に示した。
【００９２】
比較例５
実施例１０で作製した基布を用いて縫製サンプルを作製した。但し、縫製部の縫製条件としては、上糸に繊度１４００ｄｔｅｘ、引張強度８．３ｃＮ／ｄｔｅｘ、破断伸度２１％のナイロン６６糸を、下糸に繊度９２０ｄｔｅｘ、引張強度８．６ｃＮ／ｄｔｅｘ、破断伸度２２％のナイロン６６糸を用い、環縫いで、縫製ピッチは３．３目／ｃｍとした。作製した縫製サンプルの通気量を測定した結果を表４に示した。
【００９３】
比較例６
織密度を６０本／インチに変更した以外は、実施例１と同様にして基布と縫製サンプルを作製した。得られた基布と縫製サンプルについて、実施例１と同様にして評価して、結果を表４に示した。
【００９４】
比較例７
織密度を６４本／インチに変更した以外は、実施例４と同様にして基布と縫製サンプルを作製した。得られた基布と縫製サンプルについて、実施例１と同様にして評価して、結果を表４に示した。
【００９５】
比較例８
経糸、緯糸に繊度２３５ｄｔｅｘ／７１ｆ、引張強度８．５ｃＮ／ｄｔｅｘ、破断伸度２０％、沸水収縮率９．０％のナイロン６６フィラメント原糸（モノフィラメント断面は丸断面である）を用い、織密度を７０本／インチとした以外は、実施例１と同様にして基布と縫製サンプルを作製した。得られた基布と縫製サンプルについて、実施例１と同様にして評価して、結果を表４に示した。
【００９６】
比較例９
経糸、緯糸に繊度４７０ｄｔｅｘ／９６ｆ、引張強度８．６ｃＮ／ｄｔｅｘ、破断伸度２０％、沸水収縮率９．１％のナイロン６６フィラメント原糸を用い、経緯とも５３本／インチの織密度でウォータージェットルームを用いて平織にて製織した。なお、使用したフィラメント原糸として、ＳＥＭ写真から得られるモノフィラメント断面の最も長いところをＸ、最も短いところをＹとした際、Ｘ／Ｙ＝４．２である扁平断面糸を使用した。
【００９７】
製織後の処理を実施例１と同様にして基布を作製した。また、縫製サンプルは、上下糸ともに繊度１４００ｄｔｅｘ、引張強度８．３ｃＮ／ｄｔｅｘ、破断伸度２１％のナイロン６６糸を用い、環縫いで、縫製ピッチ３．３目／ｃｍの縫製条件で作製した。作製した基布と縫製サンプルについて実施例１と同様にして評価して、結果を表４に示した。
【００９８】
【表１】
0005494380.tif 000002
【００９９】
【表２】
0005494380.tif 000003
【０１００】
【表３】
0005494380.tif 000004
【０１０１】
【表４】
0005494380.tif 000005
【０１０２】
実施例１〜１１の基布は、良好な機械的特性を有し、かつ、軽量で、収納性が良いものであった。また、これらの基布を用いた縫製サンプルのいずれも、３１．３／ａ（Ｎ／本）の張力を縫製糸に付与した時の縫製糸の伸度と、６２．５／ａ（Ｎ／目）の張力を基布に付与した時の基布の伸度、との差が、経糸方向及び緯糸方向ともに０〜５．０％の範囲にあり、エアバッグ展開初期時の４０ｋＰａでの縫製部の通気量が、５０ｍｍ／ｃｍ／ｓｅｃ未満であった。従って、実施例１〜１１の基布および縫製糸を用いたエアバッグは、良好な機械的特性を有し、かつ、軽量で、収納性が良いものであり、しかも展開時に縫製部での目ズレが生じにくいため、エアバッグ展開初期時点での縫製部からのガス漏れも少なく、比較的低繊度の基布を用いてもガスによるダメージ（溶融や強力低下）が少なく、バランスよく展開できるものと期待できる。
【０１０３】
一方、比較例１および２の縫製サンプルは、前記の伸度差がいずれもマイナスとなり、４０ｋＰａ時に、経糸方向を縫製した縫製部からの通気量がいずれも５０ｍｍ／ｃｍ／ｓｅｃを超えた。従って、比較例１、２の基布および縫製糸を用いたエアバッグは、針穴の目ズレが起こりやすいものであり、エアバッグ展開初期時点に縫製部からのガス漏れが多く、バランスよく展開できないものと考えられる。
【０１０４】
比較例３および４の基布は、高繊度の糸を用いたため、目付が重く、収納性が悪いものであった。また、比較例３および４の基布を用いた縫製サンプルは、前記の伸度差がいずれも０〜５．０％の範囲から外れ、４０ｋＰａ時に、経糸方向を縫製した縫製部からの通気量がいずれも５０ｍｍ／ｃｍ／ｓｅｃを超えた。従って、比較例３、４の基布および縫製糸を用いたエアバッグは、収納性が悪いものであり、縫製部からガスが漏れやすく、バランスよく展開できないものと考えられる。
【０１０５】
比較例５の縫製サンプルは、前記の伸度差がマイナスとなり、４０ｋＰａ時に、経糸方向を縫製した縫製部からの通気量が５０ｍｍ／ｃｍ／ｓｅｃを超えた。従って、比較例５の基布および縫製糸を用いたエアバッグは、針穴の目ズレが起こりやすいものであり、バランスよく展開できないものと考えられる。
【０１０６】
また、比較例６〜８の基布は、軽量で、収納性が良いものであったが、それぞれ基布のカバーファクターが低かったため、これらの基布を用いた縫製サンプルは、基布からなる本体部、縫製部ともに通気量が大きかった。
【０１０７】
なお、比較例９の基布は高繊度の糸を用いたため、目付が重く、収納性が悪いものであった。また、比較例９の縫製サンプルは、前記の伸度差が経緯方向ともマイナスとなり、４０ｋＰａ時の縫製部からの通気量が５０ｍｍ／ｃｍ／ｓｅｃを超えた。従って、比較例９の基布および縫製糸を用いたエアバッグは、収納性が悪いものであり、縫製部からガスが漏れやすく、バランスよく展開できないものと考えられる。
【産業上の利用可能性】
【０１０８】
本発明によれば、展開時の「基布」と「縫製糸」の伸度差を所定範囲に最適化させ、エアバッグ展開初期時点の内圧における縫製部の通気量を低く維持することで、コンパクト化されたインフレーターから、高出力で高温のガスが発生する場合であっても、エアバッグ縫製部から漏れ出すガス量を低減することができる。また、高温のガスに耐え得る機械的特性を有しながら、軽量で収納性の良いエアバッグを提供することができる。
【符号の説明】
【０１０９】
１、１’：基布、３：合わせ部、５：縫製部の針穴
【図２】
0005494380.tif 000006
【図３】
0005494380.tif 000007
【図１】
0005494380.tif 000008